(57)【要約】      （修正有）【課題】ブラケットの開口を通って外部に導出されるＦＰＣの損傷を確実に防止することができる「電子機器」を提供する。【解決手段】合成樹脂製の保護シート１２に略Ｈ形状のスリットを形成し、このスリットを境にして区分された部位を第１の保護シート１２Ａと第２の保護シート１２Ｂとする。金属板製のブラケット７の底面に矩形状の開口１０を形成し、このブラケット７の内底面に貼着した第１の保護シート１２Ａを開口１０の一端縁を覆って内部途中まで延出すると共に、ブラケット７の外表面に貼着した第２の保護シート１２Ｂを開口１０の他端縁を覆って内部途中まで延出させる。ブラケット７の内部にＤＶＤ用メカニズム本体２を固定し、このメカニズム本体２に接続したＦＰＣ９を第１および第２の保護シート１２Ａ，１２Ｂの自由端部間を通ってブラケット７の外部へ導出し、その先端を筐体１の内底部に配置したメイン基板６上のコネクタ６ａに接続する。【選択図】図２
2005217021.tif 000002
【特許請求の範囲】
【請求項１】
開口を有する金属製のブラケットと、このブラケットの内部に収納されたメカニズム本体と、前記ブラケットの外部に配設された回路基板と、これらメカニズム本体と回路基板間を接続するフレキシブルプリント基板とを備え、前記フレキシブルプリント基板が前記開口を通って前記ブラケットの内部から外部へ導出されている電子機器において、
前記ブラケットの内表面に前記開口の一端縁を覆って内部途中まで延出する第１の保護シートを固着すると共に、前記ブラケットの外表面に前記開口の一端縁に対向する他端縁を覆って内部途中まで延出する第２の保護シートを固着し、これら第１および第２の保護シートの自由端部間に前記フレキシブルプリント基板を挿通させたことを特徴とする電子機器。
【請求項２】
請求項１の記載において、前記開口を挿通可能な一枚の保護シートにスリットを形成し、このスリットを介して対向する部位を前記第１および第２の保護シートとしたことを特徴とする電子機器。
【請求項３】
請求項２の記載において、前記スリットを略Ｈ形状に形成したことを特徴とする電子機器。
【発明の詳細な説明】
【技術分野】
【０００１】
本発明は、車載用オーディオ装置やナビゲーション装置等の電子機器に係り、特に、ブラケット内に収納されたメカニズム本体をフレキシブルプリント基板（以下、ＦＰＣと称する）を介して外部の回路基板に接続するようにした電子機器に関するものである。
【背景技術】
【０００２】
例えば車載用電子機器においては、機械的強度の高い金属製ブラケットの内部と外部に異種のメカニズム本体をそれぞれ取り付け、このブラケットを筐体の内部に固定することにより、異種のメカニズム本体を同一の筐体内に積層・配置するという構成が広く採用されている。この場合、ブラケット内のメカニズム本体は筐体内に配置した回路基板にＦＰＣを介して接続されるようになっているが、このＦＰＣはブラケットの底面に形成された開口を挿通して外部に導出されるため、ＦＰＣが開口の端面に当接して損傷しやすくなる。
【０００３】
従来より、ブラケット上の液晶ディスプレイと下方の回路基板とをＦＰＣで接続する電子スチルカメラ等の電子機器において、ＦＰＣが通るブラケットの端面（エッジ）を合成樹脂製の保護シートで覆い、この保護シートによってＦＰＣの損傷を防止するようにした技術が知られている（例えば、特許文献１参照）。このものは、ＦＰＣとブラケットのエッジが直接擦れ合うのを保護シートによって防止するという技術であるが、ＦＰＣがブラケットの開口を通って外部に導出される場合の問題について考慮されていない。すなわち、ブラケット内のメカニズム本体に接続されたＦＰＣをブラケットの開口を通って外部の回路基板に接続する場合、通常、長さに余裕のあるＦＰＣを用いて接続作業性を高めるようにしているため、接続完了後のＦＰＣが開口内で移動しやすくなり、仮に開口の一端縁を保護シートで覆うようにしても、ＦＰＣが開口の他の端縁に接触して損傷する虞がある。
【０００４】
図５はこのような問題を解消するために本発明者等が先に提案した電子機器の断面図であり、同図に示すように、筐体１の内部には機能の異なる２種類のメカニズム本体、例えばＤＶＤ用メカニズム本体２とＭＤ用メカニズム本体３が上下に積層された状態で配設されている。筐体１は、上面を開放した有底形状のシャーシ４と、このシャーシ４の上面に被着されたカバー５とで構成されており、シャーシ４の内底部にはメイン基板６が配設されている。また、シャーシ４の内面上部には金属板を断面凹状にプレス加工したブラケット７が固定されており、このブラケット７の内部にＤＶＤ用メカニズム本体２が固定されると共に、ブラケット７の下面にＭＤ用メカニズム本体３が固定されている。ＤＶＤ用メカニズム本体２にはサブ基板８が内蔵されており、このサブ基板８にＦＰＣ９の一端が接続されている。ブラケット７の底面にはＦＰＣ９を外部へ導出させるための開口１０がプレス抜きされており、この開口１０の相対向する両端縁には下方に向く折曲げ部１０ａと上方に向く折曲げ部１０ｂとが形成されている。さらに、ブラケット７の内底面には合成樹脂製の保護シート１１が貼着されており、ＦＰＣ９は保護シート１１の上面から開口１０を通ってブラケット７の外部に導出され、その導出端がメイン基板６上のコネクタ６ａに接続されている。なお、図示省略されているが、ＭＤ用メカニズム本体３に内蔵されたサブ基板も別のＦＰＣを介してメイン基板６に接続されている。
【特許文献１】特開２００１−７５６９号公報（第３−４頁、図３）
【発明の開示】
【発明が解決しようとする課題】
【０００５】
図５に示す従来提案の電子機器では、ＦＰＣ９とブラケット７の内底面との接触が保護シート１１によって回避されると共に、開口１０の両端縁に形成した折曲げ部１０ａ，１０ｂによってＦＰＣ９と開口１０の破断面との接触が回避されるため、ＦＰＣ９の損傷を防止することができる。しかしながら、ＦＰＣ９はある程度の余裕を持った長さに設定されているため、図６のＡ部で示すように、ＦＰＣ９が上側を向く折曲げ部１０ｂの上端とＤＶＤ用メカニズム本体２の下面との間にはまり込み、当該個所でＦＰＣ９が折れ曲がって断線する虞があった。また、開口１０の両端縁にこのような折曲げ部１０ａ，１０ｂを形成する必要があるため、ブラケット７のプレス加工が煩雑になって製造コストが上昇するという問題もあった。
【０００６】
本発明は、このような従来技術の実情に鑑みてなされたもので、その目的は、ブラケットの開口を通って外部に導出されるＦＰＣの損傷を確実に防止することができる電子機器を提供することにある。
【課題を解決するための手段】
【０００７】
本発明は、ブラケットの内表面から開口の一端縁を覆って内部途中まで延出する第１の保護シートと、ブラケットの外表面から開口の他端縁を覆って内部途中まで延出する第２の保護シートとを用い、これら第１および第２の保護シートの自由端部間にＦＰＣを挿通させることとした。これにより、ＦＰＣの損傷を確実に防止することができると共に、開口の両端縁の折曲加工を省略して製造コストの低減化が図れる。
【発明の効果】
【０００８】
本発明の電子機器は、ブラケット内のメカニズム本体に接続されたＦＰＣを外部に導出させる開口に対し、ブラケットの内表面に固着した第１の保護シートを開口の一端縁を覆って内部途中まで延出させると共に、ブラケットの外表面に固着した第２の保護シートを開口の他端縁を覆って内部途中まで延出させ、これら第１および第２の保護シートの自由端部間にＦＰＣを挿通させたため、ＦＰＣが開口の破断面に擦れて断線したり、ＦＰＣがメカニズム本体とブラケット間にはまり込んで断線することを、第１および第２の保護シートによって確実に防止することができる。
【発明を実施するための最良の形態】
【０００９】
本発明では、開口を有する金属製のブラケットと、このブラケットの内部に収納されたメカニズム本体と、前記ブラケットの外部に配設された回路基板と、これらメカニズム本体と回路基板間を接続するＦＰＣとを備え、前記ＦＰＣが前記開口を通って前記ブラケットの内部から外部へ導出されている電子機器において、前記ブラケットの内表面に前記開口の一端縁を覆って内部途中まで延出する第１の保護シートを固着すると共に、前記ブラケットの外表面に前記開口の一端縁に対向する他端縁を覆って内部途中まで延出する第２の保護シートを固着し、これら第１および第２の保護シートの自由端部間に前記ＦＰＣを挿通させた。
【００１０】
このように構成された電子機器は、ブラケットの内部から外部へ向かうＦＰＣと開口の破断面との接触が第１の保護シートによって回避されると共に、ブラケットの外部から内部へ向かうＦＰＣと開口の破断面との接触が第２の保護シートによって回避されるため、ＦＰＣの損傷を確実に防止することができる。
【００１１】
上記の構成において、第１の保護シートと第２の保護シートを別部材とすることも可能であるが、ブラケットの開口を挿通可能な一枚の保護シートにスリットを形成し、このスリットを介して対向する部位を第１および第２の保護シートとすることが好ましく、このような構成を採用すると、保護シートをブラケットの所定位置に簡単かつ正確に貼着することができ、組立作業性が向上する。この場合において、前記スリットを略Ｈ形状に形成すると、保護シートを簡単に製作することができて好ましい。
【実施例】
【００１２】
実施例について図面を参照して説明すると、図１は本発明の実施例に係る電子機器の断面図、図２は該電子機器の要部断面図、図３は該電子機器に備えられるブラケットと保護シートの位置関係を示す平面図、図４は該保護シートの平面図であり、図５に対応する部分には同一符号を付してある。
【００１３】
図１〜図３に示すように、シャーシ４とカバー５とで構成される筐体１の内部には機能の異なる２種類のメカニズム本体、例えばＤＶＤ用メカニズム本体２とＭＤ用メカニズム本体３が上下に積層された状態で配設されており、ＭＤ用メカニズム本体３の下方にメイン基板６が配設されている。ＤＶＤ用メカニズム本体２は金属板製のブラケット７の内部にネジ止め等の手段で固定され、ＭＤ用メカニズム本体３はブラケット７の下面に同じくネジ止め等の手段で固定されている。ＤＶＤ用メカニズム本体２はサブ基板８を内蔵しており、このサブ基板８のコネクタに帯状のＦＰＣ９の一端が接続されている。ブラケット７の底面にはＦＰＣ９を挿通させるための開口１０がプレス抜きされており、この開口１０は矩形状に形成されている（図３参照）。また、ブラケット７の内底面には長方形の外形を有する保護シート１２が敷設されており、この保護シート１２は、ブラケット７の内底面から開口１０の一端縁１０ａを覆って内部途中まで延出する第１の保護シート１２Ａと、ブラケット７の外表面（下面）から開口１０の他端縁１０ｂを覆って内部途中まで延出する第２の保護シート１２Ｂとを有している。これら第１および第２の保護シート１２Ａ，１２Ｂの自由端は開口１０の内部で対向しており、ＤＶＤ用メカニズム本体２のサブ基板８に接続されたＦＰＣ９は、第１および第２の保護シート１２Ａ，１２Ｂの自由端部の間を通ってブラケット７の外部へ導出され、その先端はメイン基板６上のコネクタ６ａに接続されている。図示省略されているが、ＭＤ用メカニズム本体３に内蔵されたサブ基板も別のＦＰＣを介してメイン基板６に接続されている。
【００１４】
保護シート１２はＰＥＴ（ポリエチレンテレフタレート）等の滑性に優れた合成樹脂製シートからなり、図４に示すように、その一端部側（図示右側）に略Ｈ形状のスリット１３が形成されている。このスリット１３は、保護シート１２の短辺方向（幅方向）に沿って直線状に延びる切込み１３ａと、保護シート１２の長辺方向（長さ方向）に沿って直線状に延びる一対の長孔１３ｂ，１３ｃとで構成され、長孔１３ｂ，１３ｃは切込み１３ａの両端に連続している。保護シート１２はこのスリット１３を境にして第１の保護シート１２Ａと第２の保護シート１２Ｂとに区分されており、第１の保護シート１２Ａ側の下面２個所が両面接着テープ１４によりブラケット７の内底面に貼着されると共に、第２の保護シート１２Ｂ側の上面が別の両面接着テープ１５によりブラケット７の外表面に貼着されている。
【００１５】
このように構成された電子機器の組立工程について簡単に説明すると、まず図３に示すように、保護シート１２をブラケット７の開口１０に挿通し、前述したように、第１の保護シート１２Ａ側の下面を両面接着テープ１４によりブラケット７の内底面に貼着すると共に、第２の保護シート１２Ｂ側の上面を両面接着テープ１５によりブラケット７の外表面に貼着する。次に、ブラケット７の内部にＤＶＤ用メカニズム本体２をネジ止め等の手段で固定し、このメカニズム本体２のサブ基板８に接続したＦＰＣ９を第１および第２の保護シート１２Ａ，１２Ｂの自由端部間を通ってブラケット７の外部へ導出すると共に、これに前後してＭＤ用メカニズム本体３をブラケット７の下面にネジ止め等の手段で固定する。このとき、ＦＰＣ９は第１の保護シート１２Ａ側の自由端部と第２の保護シート１２Ｂ側の自由端部との間で軽く挟持されており、ＦＰＣ９の撓み余裕部がブラケット７内へ戻るのが阻止され、よってＤＶＤ用メカニズム本体２とブラケット７の内底面との間にＦＰＣ９が挟み込まれることがない。しかる後、ブラケット７をシャーシ４の上面開放端から内部に挿入し、ブラケット７から導出するＦＰＣ９の先端をシャーシ４の内底部に配設したメイン基板６上のコネクタ６ａに接続すると共に、これに前後してＭＤ用メカニズム本体３のサブ基板から導出する図示せぬＦＰＣをメイン基板６接続する。最後に、ブラケット７の上端をシャーシ４の内面上部にネジ止め等の手段で固定し、シャーシ４の上面にカバー５を被着することにより、図１に示すように、筐体１の内部にＤＶＤ用メカニズム本体２とＭＤ用メカニズム本体３を上下に積層・配置することができる。
【００１６】
このように上記実施例に係る電子機器では、ブラケット７内のＤＶＤ用メカニズム本体２に接続されたＦＰＣ９が挿通する開口１０のうち、ブラケット７の内部から外部へ向かうＦＰＣ９が通過する一端縁１０ａを第１の保護シート１２Ａで覆い、ブラケット７の外部から内部へ向かうＦＰＣ９が通過する他端縁１０ｂを第２の保護シート１２Ｂで覆っているので、ＦＰＣ９が開口１０の両端縁１０ａ，１０ｂに接触して断線するという損傷事故を確実に防止できる。また、開口１０を挿通可能な一枚の保護シート１２に略Ｈ形状のスリット１３を形成し、このスリット１３を境にして区分された部位を第１および第２の保護シート１２Ａ，１２Ｂとしたので、保護シート１２をブラケット７の所定位置に簡単かつ正確に貼着することができると共に、保護シート１２の外形抜きとスリット１３の形成とを同時に行うことができる。さらに、スリット１３の両長孔１３ｂ，１３ｃで挟まれた切込み１３ａをＦＰＣ９が通過するようになっており、この長孔１３ｂ，１３ｃの内側縁が開口１０の幅方向端縁より内側に位置しているため、ＦＰＣ９の幅方向の両端部と開口１０の側端縁との接触も回避され、この点からもＦＰＣ９の損傷事故を確実に防止できる。
【００１７】
なお、上記実施例では、保護シート１２に形成された略Ｈ形状のスリット１３を切込み１３ａと一対の長孔１３ｂ，１３ｃとで構成した場合について説明したが、切込み１３ａを幅広にして長孔形状としたり、あるいは長孔１３ｂ，１３ｃを切込み形状とすることも可能であり、要は一枚の保護シート１２に第１および第２の保護シート１２Ａ，１２Ｂに区分する略Ｈ形状のスリット１３が形成されていれば良い。また、切込み１３ａは保護シート１２をブラケット７に貼着した後に形成することも可能である。
【００１８】
また、上記実施例では、ＦＰＣ９が挿通する開口１０をブラケット７の底面に形成した電子機器について説明したが、このような開口１０をブラケット７の底面以外の部位、例えば側面に形成したものにも適用可能である。この場合も、ブラケット７の内表面に貼着した第１の保護シート１２Ａを開口１０の一端縁１０ａを覆って内部途中まで延出し、ブラケット７の外表面に貼着した第２の保護シート１２Ｂを開口１０の他端縁１０ｂを覆って内部途中まで延出させれば良い。
【００１９】
また、上記実施例では、筐体１の内部に機能の異なる２種類のメカニズム本体を上下に積層・配置し、上方のメカニズム本体（ＤＶＤ用メカニズム本体２）をブラケット７の内部に収納すると共に、下方のメカニズム本体（ＭＤ用メカニズム本体３）をブラケット７の下面に固定した電子機器について説明したが、下方のメカニズム本体については筐体１の適宜個所に固定することも可能であり、あるいは下方のメカニズム本体を省略しても良い。
【図面の簡単な説明】
【００２０】
【図１】本発明の実施例に係る電子機器の断面図である。
【図２】該電子機器の要部断面図である。
【図３】該電子機器に備えられるブラケットと保護シートの位置関係を示す平面図である。
【図４】該保護シートの平面図である。
【図５】従来提案に係る電子機器の断面図である。
【図６】該電子機器の問題点を説明する要部断面図である。
【符号の説明】
【００２１】
１  筐体
２  ＤＶＤ用メカニズム本体
３  ＭＤ用メカニズム本体３
４  シャーシ
５  カバー
６  メイン基板（回路基板）
７  ブラケット
８  サブ基板
９  ＦＰＣ（フレキシブルプリント基板）
１０  開口
１０ａ  一端縁
１０ｂ  他端縁
１２  保護シート
１２Ａ  第１の保護シート
１２Ｂ  第２の保護シート
１３  スリット
１３ａ  切込み
１３ｂ，１３ｃ  長孔
１４，１５  両面接着テープ
【図１】
2005217021.tif 000003
【図２】
2005217021.tif 000004
【図３】
2005217021.tif 000005
【図４】
2005217021.tif 000006
【図５】
2005217021.tif 000007
【図６】
2005217021.tif 000008